(57)【要約】【課題】  カメラ付携帯電話機等の携帯無線機を載置する卓上ホルダに、アンテナ機能を持たせ、カメラ付携帯無線機のカメラ動作時の受信性能の劣化を防止する。【解決手段】  携帯電話機１と着脱自在に接続される結合コネクタ２１と、卓上ホルダ７に内蔵されたアンテナ１５と、該アンテナを結合コネクタに接続するスイッチ手段１４と、所定時に携帯電話機に充電電流を供給する充電部１０と、結合コネクタに携帯電話機を接続した時に、内臓アンテナを使用するか、充電部を使用するかを指示する外部選択スイッチ１７と、外部選択スイッチの指示にもとづいて、前記スイッチ手段および前記充電部を制御する制御部１１、および、前記制御部および前記充電部に電源を供給するための電源部を備えている。【選択図】図２
2005236622.tif 000002
【特許請求の範囲】
【請求項１】
携帯無線機用の卓上ホルダであって、
携帯無線機と着脱自在に電気的に接続される結合コネクタと、
前記卓上ホルダに内蔵された内蔵アンテナと、
前記結合コネクタと前記内蔵アンテナとの間に設けられ、該内蔵アンテナを前記結合コネクタに接続するスイッチ手段と、
前記結合コネクタに接続され、所定時に前記結合コネクタを介して携帯無線機に充電電流を供給する充電部と、
前記結合コネクタに携帯無線機を接続した時に、前記内臓アンテナを使用するか、前記充電部を使用するかを選択する外部選択スイッチと、
前記外部選択スイッチの選択にもとづいて、前記スイッチ手段および前記充電部を制御する制御部、および、
前記制御部および前記充電部に電源を供給するための電源部、を備え、
前記制御部は、前記外部選択スイッチが前記内蔵アンテナの使用を選択している時には、前記スイッチ手段を制御して前記内蔵アンテナを携帯無線機に接続し、該携帯無線機が該内蔵アンテナを使用できるよう制御動作を行うと共に、前記外部選択スイッチが充電を選択している時には、前記充電部を制御して前記電源部から前記充電部に電源を供給し、該充電部から携帯無線機に充電電流を供給できるようにしたことを特徴とする携帯無線機用卓上ホルダ。
【請求項２】
前記内臓アンテナは、携帯無線機の使用周波数帯に対応して複数種類設けられ、前記制御部は、携帯無線機の使用周波数帯に応じて前記スイッチ手段を制御し、前記複数種類のアンテナを選択的に使用できるようにしたことを特徴とする請求項１に記載の携帯無線機用卓上ホルダ。
【請求項３】
カメラ付携帯無線機と組み合わせて使用することを特徴とする請求項１または請求項２のいずれかに記載の携帯無線機用卓上ホルダ。
【請求項４】
卓上ホルダの構造を、三脚を有する形状とし、この三脚部にアンテナを取り付けたことを特徴とする請求項１〜請求項３のいずれかに記載の携帯無線機用卓上ホルダ。
【請求項５】
前記電源部は、ＡＣアダプタを介して商用電源に接続することにより、前記制御部および前記充電部に電源を供給できるようにした請求項１〜請求項４のいずれかに記載の携帯無線機用卓上ホルダ。
【発明の詳細な説明】
【技術分野】
【０００１】
この発明は、無線回線を使用して、音声やデータの通信を行う携帯電話機、携帯端末装置、その他の携帯無線機を載置する卓上ホルダに関し、特に、カメラ付携帯電話機に好適な携帯無線機用卓上ホルダに関するものである。
【背景技術】
【０００２】
近年の携帯電話機においては、カメラ付きの携帯電話機が主流となっている。
そして、このカメラ付携帯電話機を充電するための卓上ホルダ（載置台）の底面に、三脚取り付け用のねじ穴を設け、このねじ穴に三脚を取り付けて、携帯電話機の高さを調整するようにしたものが提案されている。（例えば、特許文献１参照）
【０００３】
【特許文献１】特開２００２−３２００１８号公報（図８）
【発明の開示】
【発明が解決しようとする課題】
【０００４】
ところで、上記のように最近の携帯電話機はカメラ機能を有しており、このような携帯電話機においては、カメラ動作時にカメラクロックの高調波等の雑音がアンテナにかぶる事により、受信性能（感度等）が劣化する恐れがある。
即ち、従来の構造では、携帯電話機内部のカメラとアンテナの位置関係により、カメラ制御部（カメラ部に含まれる）から出るカメラ動作クロック（例えば12.6MHz）の高調波成分が、携帯電話機のアンテナから受信部へ回り込み、この高調波成分と同じ周波数の無線チャネルの受信信号（例えば118倍の高調波であれば1486.8MHzの受信周波数チャネル）に妨害を与え、受信性能を劣化させていた。特にアンテナ内蔵の携帯電話機では、構造上性能劣化が大きく見える。
一方携帯電話機においては、カメラ動作時にも待ち受け動作を行わないといけないという要求がある。
また、室内では電波状況が複雑になるため、アンテナの性能によっては通話状態が劣化する事があった。
【０００５】
この発明は、上記のような課題を解決するためになされたものであって、携帯電話機等の携帯無線機を載置する卓上ホルダに、携帯無線機の充電機能に加えて、アンテナ機能を持たせ、携帯無線機を卓上ホルダに載置した際に、要求に応じて、携帯無線機のアンテナと卓上ホルダのアンテナとを切り換えて使用できるようにした、携帯無線機用の卓上ホルダを提供することを目的とする。
またこの発明は、カメラ付携帯無線機のカメラ動作時の受信性能の劣化や、室内での通話状態の劣化を抑える事が可能な、携帯無線機用の卓上ホルダを提供することを目的とする。
【課題を解決するための手段】
【０００６】
（１）  この発明は、携帯無線機用の卓上ホルダであって、携帯無線機と着脱自在に電気的に接続される結合コネクタと、
前記卓上ホルダに内蔵された内蔵アンテナと、
前記結合コネクタと前記内蔵アンテナとの間に設けられ、該内蔵アンテナを前記結合コネクタに接続するスイッチ手段と、
前記結合コネクタに接続され、所定時に前記結合コネクタを介して携帯無線機に充電電流を供給する充電部と、
前記結合コネクタに携帯無線機を接続した時に、前記内臓アンテナを使用するか、前記充電部を使用するかを選択する外部選択スイッチと、
前記外部選択スイッチの選択にもとづいて、前記スイッチ手段および前記充電部を制御する制御部、および、
前記制御部および前記充電部に電源を供給するための電源部、
を備え、前記制御部は、前記外部選択スイッチが前記内蔵アンテナの使用を選択している時には、前記スイッチ手段を制御して前記内蔵アンテナを携帯無線機に接続し、該携帯無線機が該内蔵アンテナを使用できるよう制御動作を行うと共に、前記外部選択スイッチが充電を選択している時には、前記充電部を制御して前記電源部から前記充電部に電源を供給し、該充電部から携帯無線機に充電電流を供給できるようにしたものである。
【０００７】
（２）  また、この発明は、上記（１）の携帯無線機用卓上ホルダにおいて、前記内蔵アンテナは、携帯無線機の使用周波数帯に対応して複数種類設けられ、前記制御部は、携帯無線機の使用周波数帯に応じて前記スイッチ手段を制御し、前記複数種類のアンテナを選択的に使用できるようにしたものである。
【０００８】
（３）  また、この発明は、上記（１）もしくは（２）の携帯無線機用卓上ホルダを、
カメラ付携帯無線機と組み合わせて使用するようにしたものである。
【発明の効果】
【０００９】
この発明の携帯無線機用卓上ホルダによれば、携帯無線機を卓上ホルダに載置した際に、要求に応じて、携帯無線機のアンテナと卓上ホルダのアンテナとを切り換えて使用することができる新規な携帯無線機用卓上ホルダを得ることができるものである。
また、カメラ付携帯無線機の卓上ホルダとして使用することにより、カメラ付携帯無線機のカメラ動作時の受信性能の劣化を抑えることができるものである。
【発明を実施するための最良の形態】
【００１０】
実施の形態1．
以下、この発明の実施の形態１を、図１〜図４にもとづいて説明する。
図１は、この発明による携帯電話機用卓上ホルダと、カメラ付携帯電話機とを組み合わせた全体の概略構成を示すブロック図、第２図は、携帯電話機用卓上ホルダの構成を示す
ブロック図である。
図１において、１は、一般的なカメラ機能付の携帯電話機であって、アンテナ２、カメラ部３、使用アンテナ切り換えスイッチ４、送信部５、受信部6、および、図示しないがその他周知の制御手段、表示手段等を備えている。
なお、前記スイッチ４は、内部アンテナ（自身に備えられているアンテナ）を使用するか、外部アンテナ（車載アンテナ等）を使用するかを切り換えるもので、携帯電話機に通常備えられているものであり、この発明の実施の形態１においては、後述する卓上ホルダの制御部からの信号にもとづいて、外部アンテナ（卓上ホルダ側のアンテナ）に切り換えられるものである。
７は、前記携帯電話機１を載置するためのアンテナ内蔵卓上ホルダ（以下単に卓上ホルダと称す。）であって、以下その詳細について、図2を用いて説明する。
【００１１】
図2において、卓上ホルダ７は、結合コネクタ２１によって、携帯電話機１と着脱自在に電気的に接続される。制御部１１は、携帯電話機１との間で制御信号の送受信を行うと共に、各部を制御する。スイッチ手段１４は、制御部１１の制御により、携帯電話機１と、卓上ホルダ７に設けられた内蔵アンテナである、例えば、８００ＭＨｚ帯送受信アンテナ１５ａ、１．５ＧＨｚ帯送受信アンテナ１５ｂ、および８００ＭＨｚ、１．５ＧＨｚ共用受信アンテナ１５ｃとの接続を切り換える。
なお、後述する図４に示すように、卓上アンテナ７の構造は、携帯電話機１をカメラとして使用する場合に好適なように三脚部が設けられており、この三脚に、前記８００ＭＨｚ帯送受信アンテナ１５ａ、１．５ＧＨｚ帯送受信アンテナ１５ｂ、および８００ＭＨｚ、１．５ＧＨｚ共用受信アンテナ１５ｃを内蔵するよう構成されている。
電源部１６は、ＡＣアダプタ９を家庭内コンセント８に接続することにより、制御部１１、充電部１０へ電源を供給する。充電部１０は、制御部１１の制御により電源部１６から電源を供給され、携帯電話機１へ充電電流を供給する。
外部選択スイッチ１７は、充電かカメラ動作か、カメラ動作の場合、卓上ホルダ７のアンテナを使用するか、携帯電話機１のアンテナを使用するかを切り換え選択できる構造であり、制御部１１は外部選択スイッチ１７の状態（選択）により、選択された状態を判断する。
【００１２】
次に、前記卓上ホルダ７の動作について、図3のフローチャートを用いて説明する。
（１）  ＳＴＥＰ１で、卓上ホルダ７の結合コネクタ２１に携帯電話機１を接続する。
（２）  携帯電話機１が卓上ホルダ７に接続された時、ＳＴＥＰ２で、充電かカメラ動作（カメラの三脚として使用する）かを、外部選択スイッチ１７の状態（選択）に基づき制御部１１が判断する。
（３）  前記ＳＴＥＰ２でカメラ動作が選択されていると判断した場合、ＳＴＥＰ３で、アンテナとして卓上ホルダ側の三脚内蔵アンテナを使用するか、携帯電話機１のアンテナを使用するかを外部選択スイッチ１７の状態に基づき制御部１１が判断する。そして、判断結果に基づき携帯電話機１の使用アンテナを切り換えるよう、携帯電話機１に備えられている使用アンテナ（内部／外部）切り換えスイッチ4を制御する制御信号を携帯電話機１へ出力する（アンテナ選択ステップ）。
（４）  前記ＳＴＥＰ３で、卓上ホルダ側の三脚内蔵アンテナを使用すると判断した場合、ＳＴＥＰ４で、制御部１１は、携帯電話機１からの制御信号により、使用周波数帯が８００ＭＨｚか１．５ＧＨｚかを検知し、使用周波数帯が８００ＭＨｚの場合、送受信アンテナとしてアンテナ１５ａを使用するようスイッチ手段１４を切り換え、使用周波数帯が1.5ＧＨｚの場合、送受信アンテナとしてアンテナ１５ｂを使用するようスイッチ手段１４を切り換える。
（５）  一方、前記ＳＴＥＰ２で、充電が選択されていると判断した場合は、ＳＴＥＰ５で、電源部１６から充電部１０に電源を供給し、充電部１０は携帯電話機１へ充電電流を出力し、充電器として動作を開始する（充電開始ステップ）。
尚、図示しないが、充電しながらカメラの三脚として使用してもよい。この場合、前記充電開始ステップの後、アンテナ選択ステップが行なわれる。
【００１３】
図4は、前述した携帯電話機１を卓上ホルダ７に載置し、携帯電話機１を卓上ホルダ７に接続した時の外観図を示すものである。なお、図中、図1〜図2との同一符号は、同一又は相当部分を示す
図4において、３は携帯電話機１のカメラ部の特にレンズ部を示す。携帯電話機１は、卓上ホルダ７に設けられた結合コネクタ２１により、卓上ホルダ７と電気的に接続され、筐体は、卓上ホルダ７上に設けられた溝と可動式のおさえ２７により固定される。
結合コネクタ２１には、送受信号用線路、受信信号用線路、充電用線路、制御信号用線路を含むケーブルＡ２５が接続され、ケーブルＡ２５は、コネクタＡ２８を介して基板２３に接続される。基板２３上には、前述の、アンテナ接続を切り換えるスイッチ手段１４、携帯電話機１の電池を充電する充電部１０、充電部１０とスイッチ手段１４を制御する制御部１１、充電部１０に電源を供給する電源部１６が実装されている。
電源部１６は、コネクタＢ２２およびケーブルＢ２６を介して外部ＡＣアダプタ９に接続される。
以上の構成により、送受信号用線路および受信信号用線路は、携帯電話機１の使用アンテナ切り換えスイッチ４と、卓上ホルダ７のスイッチ手段１４とを接続し、充電用線路は、携帯電話機１の電源部（図示せず）と卓上ホルダ７の充電部１０とを接続し、制御信号用線路は携帯電話機１の制御部（図示せず）と、卓上ホルダ７の制御部１１とを接続する。
【００１４】
卓上ホルダ７には、携帯電話機１をカメラとして使用する場合に好適なように三脚部が設けられており、この三脚には、三脚内蔵アンテナである８００ＭＨｚ帯送受信アンテナ１５ａ、１．５ＧＨｚ帯送受信アンテナ１５ｂ、および８００ＭＨｚ、１．５ＧＨｚ共用受信アンテナ１５ｃがそれぞれ内蔵されている。これらのアンテナは、コネクタＣ２４を介してスイッチ手段１４と電気的に接続されている。制御部１１は、携帯電話機1からの制御信号により、使用周波数帯（８００ＭＨｚ／１．５ＧＨｚ）を検知し、スイッチ手段１４を切換え制御する。
【００１５】
以上のように、この発明の実施の形態１の携帯無線機用卓上ホルダによれば、携帯電話機等の携帯無線機を卓上ホルダに載置した際に、充電機能に加えて、要求に応じて、携帯無線機のアンテナと卓上ホルダのアンテナとを切り換えて使用することができる新規な携帯無線機用卓上ホルダを得ることができるものである。
【００１６】
また、カメラ付携帯無線機の卓上ホルダとして使用することにより、カメラ付携帯無線機のカメラ動作時の受信性能の劣化を抑えることができるものである。
特に、卓上ホルダの構造を、三脚を有するものとし、この三脚にアンテナを内蔵することにより、携帯無線機のカメラ部とアンテナとの空間的な距離がとれ、アンテナからまわり込むカメラクロックの種々の電子回路に与える影響を低減することができるものである。
さらにまた、卓上ホルダの構造を、三脚を有するものとし、この三脚部に周波数帯の異なるアンテナをそれぞれ内蔵することにより、使用周波数帯の異なる携帯無線機に対しても１台の卓上ホルダで対応することが可能となる。
【産業上の利用可能性】
【００１７】
この発明は、無線回線を使用して、音声やデータの通信を行う携帯電話機、携帯端末装置等の携帯無線機に適用できるものである。
【図面の簡単な説明】
【００１８】
【図１】この発明の実施の形態１における携帯電話機用卓上ホルダと、携帯電話機とを組み合わせた全体の構成を示す概略ブロッ図である。
【図２】この発明の実施の形態１における携帯電話機用卓上ホルダの構成を示すブロッ図である。
【図３】この発明の実施の形態１における携帯電話機用卓上ホルダの動作を説明するためのフローチャートである。
【図４】この発明の実施の形態１における携帯電話機用卓上ホルダに、携帯電話機を接続した外観図である。
【符号の説明】
【００１９】
１  携帯電話機、２  アンテナ、３  カメラ部、４  スイッチ、
５  送信部、６  受信部、７  アンテナ内蔵卓上ホルダ、８  家庭用コンセント、
９  ＡＣアダプタ、１０  充電部、１１  制御部、１４  スイッチ手段、
１５  内蔵アンテナ、１６  電源部、１７  外部選択スイッチ、
２１  結合コンセント。
【図１】
2005236622.tif 000003
【図２】
2005236622.tif 000004
【図３】
2005236622.tif 000005
【図４】
2005236622.tif 000006